(57)【要約】【課題】回転ドラムの荷重を前方に配設された複数のローラーで支承する構成の衣類乾燥機において、回転ドラムの内容積が小さくならないようにローラーで支承することができ、かつ、安定した乾燥運転を行うことができる衣類乾燥機を実現する。【解決手段】回転ドラム１４の前方の荷重を下方で支承する複数のローラー２０を備え、回転ドラム１４の開口縁部の外周部１４ｂは略コの字型の断面形状を有し、ローラー２０の外周部２０ａが回転ドラム１４の円筒部１４ａの最前部近傍で接触するように構成したものであり、回転ドラム１４の内容積が小さくならずにローラー２０で支承することができるとともに、安定した乾燥運転を行うことができるものである。【選択図】図１
2012196392.tif 000002
【特許請求の範囲】
【請求項１】
熱源と、衣類を収納し乾燥させる回転ドラムと、前記回転ドラム内に前記熱源により加熱された熱風を供給する送風ファンと、前記回転ドラムおよび前記送風ファンの駆動源となるモータと、前記回転ドラムの前方の荷重を下方で支承する複数のローラーとを備え、前記回転ドラムの開口縁部の外周部は略コの字型の断面形状を有し、前記ローラーの外周部が前記回転ドラムの円筒部の最前部近傍で接触するように構成した衣類乾燥機。
【請求項２】
前記回転ドラムの前方端面に摺動して前記回転ドラムの内外をシールするシール部材を備え、前記回転ドラムの下方においては、前記回転ドラムの開口縁部の外周部を前記シール部材と前記ローラーとの間に位置させた請求項１記載の衣類乾燥機。
【請求項３】
前記熱源により加熱された熱風を、前方下部から前記回転ドラム内に供給する構成とした請求項１または２に記載の衣類乾燥機。
【発明の詳細な説明】
【技術分野】
【０００１】
本発明は熱風を回転ドラム内に供給して衣類を乾燥し、回転ドラムの荷重を前方に配設された複数のローラーで支承する構成の衣類乾燥機に関するものである。
【背景技術】
【０００２】
従来、衣類乾燥機においては、回転ドラムの開口縁部の内周面に対して摺動する軸受を配設して、回転ドラムの前方の荷重を受けるように構成していた（例えば、特許文献１参照）。
【０００３】
また、他の例として、回転ドラムの荷重を前方に配設された複数のローラーで支承するように構成していた。この構成の衣類乾燥機は、図３および図４に示すように、本体１の下部に駆動源となるモータ２を設けており、このモータ２によって本体１の背面側に設けた送風ファン３および回転ドラム４を回転させるようにしている。また、本体１の正面側に熱源となるヒータ５を配設し、送風ファン３の回転によりヒータ５を通って加熱された熱風が熱風吹出口６を介して回転ドラム４内に導入され、回転ドラム４内に収容された衣類が加熱乾燥される。また、回転ドラム４にはバッフル７が配設され衣類を回転攪拌する。矢印Ａは風の流れを示している。
【０００４】
また、８は回転ドラム４の前方開口端面に摺動するシール部材で、９はシール部材８を固定するドラム前板である。ドラム前板９には回転ドラム４の前方の荷重を下方で支承する複数のローラー１０が配設されている。このローラー１０は回転ドラム４の開口縁部の外周面を窪ませて形成した円周部分に対して接触して回転ドラム４を支承するように構成している。
【先行技術文献】
【特許文献】
【０００５】
【特許文献１】特開２０００−１２６４９９号公報
【発明の概要】
【発明が解決しようとする課題】
【０００６】
しかしながら、このような従来の衣類乾燥機では、回転ドラムの開口縁部の外周面を窪ませてローラーで支承する部分を形成しているため、回転ドラムの内容積が小さくなるという課題があった。また、複数のローラーの高さ位置が高くなり、かつ、ローラー間の間隔を広く取ることができないため、回転ドラムの前方の支持が不安定となりがちで、乾燥運転時に異常振動や騒音を発生するおそれがあるという課題があった。また、シール部から漏れ出てきた熱風に含まれる水蒸気がローラーの回転に悪影響を及ぼすという課題もあった。
【０００７】
本発明は、上記従来の課題を解決するもので、回転ドラムの内容積が小さくならないようにローラーで支承することができ、かつ、安定した乾燥運転を行うことができる衣類乾燥機を提供することを目的としている。
【課題を解決するための手段】
【０００８】
本発明の衣類乾燥機は上記目的を達成するために、回転ドラムの開口縁部の外周部は略コの字型の断面形状を有し、ローラーの外周部が回転ドラムの円筒部の最前部近傍で接触するように構成した衣類乾燥機である。これにより、回転ドラムの内容積が小さくならずにローラーで支承することができ、効率的であるとともに安定した乾燥運転ができるものである。
【発明の効果】
【０００９】
本発明の衣類乾燥機は、回転ドラムの内容積が小さくならずにローラーで支承することができ、効率的であるとともに安定した乾燥運転ができる衣類乾燥機を実現することができる。
【図面の簡単な説明】
【００１０】
【図１】本発明の実施の形態１の衣類乾燥機の縦断面図
【図２】同衣類乾燥機の前面パネルを取り外した状態の正面図
【図３】従来の衣類乾燥機の縦断面図
【図４】同衣類乾燥機の前面パネルを取り外した状態の正面図
【発明を実施するための形態】
【００１１】
第１の発明は、熱源と、衣類を収納し乾燥させる回転ドラムと、前記回転ドラム内に前記熱源により加熱された熱風を供給する送風ファンと、前記回転ドラムおよび前記送風ファンの駆動源となるモータと、前記回転ドラムの前方の荷重を下方で支承する複数のローラーとを備え、前記回転ドラムの開口縁部の外周部は略コの字型の断面形状を有し、前記ローラーの外周部が前記回転ドラムの円筒部の最前部近傍で接触するように構成したことにより、回転ドラムの内容積が小さくならずにローラーで支承することができるものである。また、複数のローラーの高さ位置を低くし、さらに、複数のローラー間の間隔を広く取ることができるので、回転ドラムの前方の支持を格段に安定させることができ、乾燥運転時の異常振動や騒音の発生を抑制することができる。
【００１２】
第２の発明は、上記第１の発明において、前記回転ドラムの前方端面に摺動して前記回転ドラムの内外をシールするシール部材を備え、前記回転ドラムの下方においては、前記回転ドラムの開口縁部の外周部を前記シール部材と前記ローラーとの間に位置させたことにより、シール部から熱風が多少漏れ出てきたとしても、熱風に含まれる水蒸気がローラー周辺に到達することがなく、ローラーのスムーズな回転を長期にわたり安定に確保することができる。
【００１３】
第３の発明は、上記第１または第２の発明において、前記熱源により加熱された熱風を、前方下部から前記回転ドラム内に供給する構成としたことにより、回転ドラムの開口縁部の外周部の縦壁部と協働して、回転ドラム内の前面部での衣類の回転不足や滞留による乾燥不足や乾燥むらを防止するとともに、熱風を回転ドラム内に行き渡らせ衣類全体を万遍なく乾燥させることができ、良好かつ効率的な乾燥を行うことができる。
【００１４】
以下、本発明の実施の形態について、図面を参照しながら説明する。なお、この実施の形態によって本発明が限定されるものではない。
【００１５】
（実施の形態１）
図１は本発明の実施の形態１における衣類乾燥機の縦断面図、図２は同衣類乾燥機の前面パネルを取り外した状態の正面図である。図１および図２において、本体１１の下部に駆動源となるモータ１２を設けており、このモータ１２によって本体１１の背面側に設けた送風ファン１３および回転ドラム１４を回転させるようにしている。また、本体１１の正面側の下部で衣類投入口２２の下方に熱源となるヒータ１５を配設し、送風ファン１３の回転によりヒータ１５を通って加熱された熱風が本体１１の正面側の下部で衣類投入口２２の下方に配設した熱風吹出口１６を介して回転ドラム１４内に導入され、回転ドラム１４内に収容された衣類が加熱乾燥される。また、回転ドラム１４にはバッフル１７が配設され衣類を回転攪拌する。矢印Ｂは風の流れを示している。
【００１６】
また、１８は回転ドラム１４の前方開口端面に摺動するシール部材で、１９はシール部材１８を固定するドラム前板である。シール部材１８は回転部である回転ドラム１４内の湿った空気が外に漏れないように、または外の空気を回転ドラム１４内に吸込まないようにシールしている。
【００１７】
ドラム前板１９には回転ドラム１４の前方の荷重を下方で支承する複数のローラー２０が配設されている。このローラー２０の外周部２０ａは回転ドラム１４の円筒部１４ａの外周の最前部近傍で接触して回転するように構成している。このため、ローラー２０の外周部２０ａは回転による音や振動の発生を防止するために、例えばゴムのような材質より構成されている。ローラー２０には軸受けとしてベアリング（図示せず）が圧入されており、ドラム前板１９に固定されたシャフト２１を軸として回転する。この構成により、回転ドラム１４の負荷変動や経年変化に対しても、回転ドラム１４の位置が大きく変動することなく、回転ドラム１４の前方開口端面とシール部材１８とを確実にシールすることができる。
【００１８】
また、回転ドラム１４の円筒部１４ａより前方に設けた開口縁部の外周部１４ｂは、縦壁部１４ｃ、内周フランジ部１４ｄおよび外周フランジ部１４ｅによって形成され、前方に開口する比較的浅い略コの字型の断面形状を有している。そして、回転ドラム１４の下方においては、この回転ドラム１４の開口縁部の外周部１４ｂは、シール部材１８とローラー２０との間に位置させてある。
【００１９】
従来の構成である図３と比較すると、ローラー２０がより前方の下方に配設されており、回転ドラム１４の開口縁部の外周部１４ｂが略コの字型の断面形状を有していることにより、回転ドラム１４の内容積を大きく確保することができる。
【００２０】
そして、回転ドラム１４の開口縁部の外周部１４ｂを、回転ドラム１４の下方においては、シール部材１８とローラー２０との間に位置させたことにより、シール部材１８と回転ドラム１４の前方開口端面との間から熱風が多少漏れ出てきたとしても、略コの字型の開口縁部の外周部１４ｂの内部で結露させて水滴化させ、内部に保持することができるので、熱風に含まれる水蒸気がローラー２０周辺に到達することがなく、ローラー２０のスムーズな回転を長期にわたり安定に確保することができる。
【００２１】
なお、図示は省略するが、内周フランジ部１４ｄの前方端面に摺動するようにシール部材１８を設けたのと同様に、外周フランジ部１４ｅの前方端面に摺動するようにシール部材を設けて２重シール構成とすることも可能である。このように構成すれば、ローラー２０のスムーズな回転をさらに安定に保つことができる。
【００２２】
また、従来の構成である図４と比較すると、複数のローラー２０の高さ位置を低くし、さらに、複数のローラー２０間の間隔を広く取ることにより、回転ドラム１４の前方の支持を格段に安定させることができ、乾燥運転時の異常振動や騒音の発生を抑制することができる。
【００２３】
また、回転ドラム１４内の前面部においては、衣類がうまく回転、撹拌されず、回転ドラム１４内の下部に滞留しがちである。特に、本実施の形態のように、ヒータ１５や熱風吹出口１６が本体１１の正面側の下部で衣類投入口２２の下方に配設され、回転ドラム１４内の下部の前方に位置させた構成においては、回転中の重力により下方に落下してくる衣類に下方から熱風を当てて効率よく乾燥させることができる反面、衣類が回転ドラム１４内の下部に滞留してしまうと、熱風吹出口１６を介して回転ドラム１４内に供給される熱風が回転ドラム１４内の下部に滞留した衣類にばかり当たるだけでなく、滞留した衣類が、熱風が回転ドラム１４内に行き渡り衣類全体を万遍なく乾燥させることを阻害する場合がある。
【００２４】
このために本実施の形態では、回転ドラム１４の開口縁部の外周部１４ｂの断面を略コの字型に形成して、回転ドラム１４内部の前面外周部に縦壁部１４ｃを形成している。この回転ドラム１４の回転とともに回転する縦壁部１４ｃを備えたことにより、回転ドラム１４内部の前面部での衣類の回転、撹拌をうまく行い、縦壁部がない構成において発生する前面部での衣類の回転不足や滞留による乾燥不足や乾燥むらを防止し、良好かつ効率的な乾燥を行っている。
【００２５】
そして、この縦壁部１４ｃは、本体１１の正面側にヒータ１５や熱風吹出口１６を配設したことと相俟って、ヒータ１５から送られる熱風を回転ドラム１４内部の前面部に位置した衣類に効率よく供給し、回転ドラム１４の回転とバッフル１７との作用との相乗効果も得られて、格段に効率よく衣類を乾燥させている。ここで、ヒータ１５や熱風吹出口１６の位置は、本体１１の正面側に設けた衣類投入口２２の直下でなくても、衣類投入口２２の中心より下方であればよい。
【００２６】
以上のように、本発明の衣類乾燥機によれば、回転ドラムの内容積が小さくならないようにローラーで支承することができるので、回転ドラム内のバッフルにより回転撹拌される衣類の動きが良く、熱風吹出口からの熱風が効率的に衣類に当たることになり、エネルギーを節約した乾燥運転を行うことができる。また、回転ドラムの前方の支持を格段に安定させることができ、乾燥運転時の異常振動や騒音の発生を抑制することができる。また、回転ドラム内前部の下部に滞留しがちな衣類をうまく回転、撹拌して良好な乾燥を行うことができる。さらに、ローラーのスムーズな回転を長期にわたり安定に確保することもできる。
【産業上の利用可能性】
【００２７】
以上のように、本発明にかかる衣類乾燥機は、回転ドラムの内容積が小さくならないようにローラーで支承することができエネルギーを節約した乾燥運転を行うことができるとともに回転ドラムの前方の支持を格段に安定させて乾燥運転時の異常振動や騒音の発生を抑制することができるので、熱風を回転ドラム内に供給して衣類を乾燥し回転ドラムの荷重を前方に配設された複数のローラーで支承する構成の衣類乾燥機等として有用である。
【符号の説明】
【００２８】
１１    本体
１２    モータ
１３    送風ファン
１４    回転ドラム
１４ａ  円筒部
１４ｂ  開口縁部の外周部
１４ｃ  縦壁部
１４ｄ  内周フランジ部
１４ｅ  外周フランジ部
１５    ヒータ（熱源）
１６    熱風吹出口
１７    バッフル
１８    シール部材
１９    ドラム前板
２０    ローラー
２０ａ  外周部
２２    衣類投入口
【図１】
2012196392.tif 000003
【図２】
2012196392.tif 000004
【図３】
2012196392.tif 000005
【図４】
2012196392.tif 000006